【手続補正書】
【提出日】平成28年11月4日(2016.11.4)
【手続補正１】
【補正対象書類名】特許請求の範囲
【補正対象項目名】全文
【補正方法】変更
【補正の内容】
【特許請求の範囲】
【請求項１】
モバイルデバイスの屋内/屋外状態を判定するための方法であって、
前記モバイルデバイスの屋内/屋外状態を維持するステップであって、前記屋内/屋外状態が、屋内状態および屋外状態を含む複数のあり得る状態から選択され、
前記モバイルデバイスが、少なくとも1つの第1のセンサと少なくとも1つの第2のセンサとを含み、前記少なくとも1つの第1のセンサが前記少なくとも1つの第2のセンサよりも多い電力消費量に関連付けられる、ステップと、
前記少なくとも1つの第2のセンサが前記モバイルデバイスの前記屋内/屋外状態を示す読取値を生成できる場合に、前記少なくとも1つの第1のセンサをゲートオフし、前記少なくとも1つの第2のセンサを使用してセンサ読取値を取得するステップと、
前記第2のセンサが前記モバイルデバイスの前記屋内/屋外状態を示す読取値を生成できない場合に、前記少なくとも1つの第1のセンサを使用してセンサ読取値を取得するステップと、
前記少なくとも1つの第1のセンサおよび少なくとも1つの第2のセンサのうちの1つから受け取られた読取値に基づいて前記モバイルデバイスの前記屋内/屋外状態を更新するステップと
を含む方法。
【請求項２】
タイマを使用して前記少なくとも1つの第2のセンサを周期的に検査するステップであって、前記少なくとも1つの第2のセンサが運動検出器を備える、ステップと、
前記運動検出器の周期的な検査に基づいて移動が生じたかどうかを判定するステップと、
移動が生じたと判定された場合に、前記少なくとも1つの第1のセンサからの読取値を使用して前記モバイルデバイスの前記屋内/屋外状態を更新するステップとをさらに含む、
請求項1に記載の方法。
【請求項３】
前記少なくとも1つの第2のセンサは、加速度計を備え、前記方法は、
前記加速度計に基づいて、前記モバイルデバイスが移動する車両の内部にあるかどうかを判定するステップと、
前記モバイルデバイスが前記移動する車両の内部にあるという前記判定に基づいて前記屋内/屋外状態を更新するステップとをさらに含む、請求項1に記載の方法。
【請求項４】
前記少なくとも1つの第2のセンサは周辺光センサ(ALS)を備え、前記方法は、
前記モバイルデバイスに関連する現地時間を判定するステップと、
前記現地時間が昼光時間に対応するときにのみ前記ALSからの読取値を使用するステップとを含む、請求項1に記載の方法。
【請求項５】
前記少なくとも1つの第2のセンサは周辺光センサ(ALS)を備え、前記方法は、
前記ALSからの読取値が第1の所定の値を超えている場合に、前記モバイルデバイスの前記屋内/屋外状態を前記屋外状態に更新するステップをさらに含む、請求項1に記載の方法。
【請求項６】
前記少なくとも1つの第2のセンサは周辺光センサ(ALS)を備え、前記少なくとも1つの第1のセンサはカメラを備え、前記方法は、
前記ALSからの読取値が第2の所定の値を超えている場合にのみ前記カメラを使用して前記モバイルデバイスの前記屋内/屋外状態を示す前記読取値を生成するステップをさらに含む、請求項1に記載の方法。
【請求項７】
前記カメラからカメラ画像をキャプチャするステップであって、前記カメラ画像が、前記カメラ画像内の各画素の赤色、緑色、および青色(RGB)の値を含む、ステップと、
前記カメラ画像内の画素の前記RGB値を算出することに基づいて前記モバイルデバイスの前記屋内/屋外状態を示す前記読取値を生成するステップとをさらに含む、請求項6に記載の方法。
【請求項８】
前記少なくとも1つの第2のセンサは常時接続運動クラシファイアを備え、前記少なくとも1つの第1のセンサはカメラを備え、前記方法は、
前記常時接続運動クラシファイアによって移動の変化を判定するステップと、
運動の変化を、前記屋内/屋外状態の変化を示すものとして分類するステップと、
前記カメラを使用して、前記常時接続運動クラシファイアの前記判定に基づいて前記モバイルデバイスの前記屋内/屋外状態を示す前記読取値を生成するステップとをさらに含む、請求項1に記載の方法。
【請求項９】
前記少なくとも1つの第2のセンサは運動検出器を備え、前記少なくとも1つの第1のセンサはカメラを備え、前記方法は、
前記運動検出器からの読取値が移動を示し、かつ前記モバイルデバイスが使用中である場合にのみ、前記カメラを使用して前記モバイルデバイスの前記屋内/屋外状態を示す前記読取値を生成するステップをさらに含む、請求項1に記載の方法。
【請求項１０】
実行されたときに、モバイルデバイスに含まれる1つまたは複数のコンピューティングデバイスに、請求項1乃至9の何れか1項に記載の方法を行わせるコンピュータ実行可能命令を記憶する1つまたは複数のコンピュータ可読媒体。
【請求項１１】
モバイルデバイスの屋内/屋外状態を判定するための装置であって、
前記モバイルデバイスの屋内/屋外状態を維持するための手段であって、前記屋内/屋外状態が、屋内状態および屋外状態を含む複数のあり得る状態から選択され、
前記モバイルデバイスが、少なくとも1つの第1のセンサと少なくとも1つの第2のセンサとを含み、前記少なくとも1つの第1のセンサが前記少なくとも1つの第2のセンサよりも多い電力消費量に関連付けられる、手段と、
前記少なくとも1つの第2のセンサが前記モバイルデバイスの前記屋内/屋外状態を示す読取値を生成できる場合に、前記少なくとも1つの第1のセンサをゲートオフし、前記少なくとも1つの第2のセンサを使用してセンサ読取値を取得するための手段と、
前記第2のセンサが前記モバイルデバイスの前記屋内/屋外状態を示す読取値を生成できない場合に、前記少なくとも1つの第1のセンサを使用してセンサ読取値を取得するための手段と、
前記少なくとも1つの第1のセンサおよび少なくとも1つの第2のセンサのうちの1つから受け取られた読取値に基づいて前記モバイルデバイスの前記屋内/屋外状態を更新するための手段とを備える装置。
【請求項１２】
前記少なくとも1つの第2のセンサは常時接続運動クラシファイアを備え、前記少なくとも1つの第1のセンサはカメラを備え、前記装置は、
前記常時接続運動クラシファイアによって移動の変化を判定するための手段と、
運動の変化を、前記屋内/屋外状態の変化を示すものとして分類するための手段と、
前記カメラを使用して、前記常時接続運動クラシファイアの前記判定に基づいて前記前記モバイルデバイスの前記屋内/屋外状態を示す前記読取値を生成するための手段とをさらに備える、請求項11に記載の装置。
【請求項１３】
前記モバイルデバイスが電車または運転中の車両の内部にあることによる前記運動の変化は、前記屋内/屋外状態の変化を示さない、請求項12に記載の装置。
【請求項１４】
前記複数のあり得る状態が不明状態を含む、請求項11に記載の装置。
【請求項１５】
前記少なくとも1つの第1のセンサは、
GPS受信機、
WLAN受信機、
オーディオ受信機、
Bluetooth（登録商標）受信機、
セルラー受信機、および
カメラのうちの少なくとも1つを含み、かつ／または
前記少なくとも1つの第2のセンサは、
加速度計、
運動検出器、
クロック、
周辺光センサ、
天候センサ、および
温度センサのうちの少なくとも1つを含む、請求項11に記載の装置。